(57)【要約】【課題】１枚のシート状のブランクにより形成され、側面が二重に形成された紙製容器において、該側面に従来にない表現方法で模様が形成された紙製容器を提供する。【解決手段】紙製容器としての箱本体部１０は、底面部１２と、方形状の切欠部が形成された形状の外壁部１４Ａ〜１４Ｄと、外壁部１４Ａ〜１４Ｄから連設された帯状部２０Ａ〜２０Ｄと、略方形状に形成された内壁部２２Ａ〜２２Ｄと、フラップ部１６Ｂ、１８Ｂ、２４Ｂ、２６Ｂ、１６Ｄ、１８Ｄ、２４Ｄ、２６Ｄとを有し、フラップ部１６Ｂ（１８Ｂ）には、外壁部１４Ａ（１４Ｃ）に形成された切欠部に対応して切欠部が形成され、フラップ部１６Ｄ（１８Ｄ）には、外壁部１４Ａ（１４Ｃ）に形成された切欠部に対応して切欠部が形成されている。箱本体部１０を構成するブランクにおいては、表裏に異なる色又は模様が表示されている。【選択図】図４
0003146280.tif 000002
【実用新案登録請求の範囲】
【請求項１】
１枚のシート状のブランクにより形成された紙製容器であって、
方形状の底面部と、
該底面部の相対する各辺から折れ線を介して連設され、底面部に対して略直角に立設し、方形状に切欠部及び／又は開口部が形成された形状の第１外壁部と、
第１外壁部における底面部とは反対側の辺部から折れ線を介して連設され、第１外壁部の上端に沿って帯状に形成された第１帯状部と、
第１帯状部の内側の端部から折れ線を介して連設され、第１外壁部に対して略平行に設けられ、略方形状の第１内壁部と、
該底面部の他の相対する各辺から折れ線を介して連設され、底面部に対して略直角に立設し、方形状に切欠部及び／又は開口部が形成された形状の第２外壁部と、
該第２外壁部の両側から折れ線を介して連設された第１フラップ部で、隣接する第１外壁部と第１内壁部間に挟んだ状態で設けられ、各第１フラップ部が該第２外壁部に隣接する第１外壁部に形成された切欠部及び／又は開口部に対応して切欠部及び／又は開口部が形成された第１フラップ部と、
第２外壁部における底面部とは反対側の辺部から折れ線を介して連設され、第２外壁部の上端に沿って帯状に形成された第２帯状部と、
第２帯状部の内側の端部から折れ線を介して連設され、略方形状の第２内壁部と、
該第２内壁部の両側から折れ線を介して連設され、隣接する第１外壁部と第１内壁部間に挟んだ状態で設けられた第２フラップ部と、
を有し、
紙製容器の側面部は、第１外壁部と第１内壁部により二重に形成されるとともに、第２外壁部と第２内壁部により二重に形成され、
紙製容器を構成するブランクの表側の面と裏側の面に異なる色又は模様が表示され、第１外壁部に形成された切欠部及び／又は開口部を介して第１外壁部の内側の第１内壁部及び／又は第２フラップ部の外側の面を視認可能であるとともに、第２外壁部に形成された切欠部及び／又は開口部を介して第２外壁部の内側の第２内壁部の外側の面を視認可能であることを特徴とする紙製容器。
【請求項２】
１枚のシート状のブランクにより形成された紙製容器であって、
方形状の底面部と、
該底面部の相対する各辺から折れ線を介して連設され、底面部に対して略直角に立設し、方形状に切欠部及び／又は開口部が形成された形状の第１外壁部と、
第１外壁部における底面部とは反対側の辺部から折れ線を介して連設され、第１外壁部の上端に沿って帯状に形成された第１帯状部と、
第１帯状部の内側の端部から折れ線を介して連設され、第１外壁部に対して略平行に設けられ、略方形状の第１内壁部と、
該底面部の他の相対する各辺から折れ線を介して連設され、底面部に対して略直角に立設し、方形状の第２外壁部と、
該第２外壁部の両側から折れ線を介して連設された第１フラップ部で、隣接する第１外壁部と第１内壁部間に挟んだ状態で設けられ、各第１フラップ部が該第２外壁部に隣接する第１外壁部に形成された切欠部及び／又は開口部に対応して切欠部及び／又は開口部が形成された第１フラップ部と、
第２外壁部における底面部とは反対側の辺部から折れ線を介して連設され、第２外壁部の上端に沿って帯状に形成された第２帯状部と、
第２帯状部の内側の端部から折れ線を介して連設され、略方形状の第２内壁部と、
該第２内壁部の両側から折れ線を介して連設され、隣接する第１外壁部と第１内壁部間に挟んだ状態で設けられた第２フラップ部と、
を有し、
紙製容器の側面部は、第１外壁部と第１内壁部により二重に形成されるとともに、第２外壁部と第２内壁部により二重に形成され、
紙製容器を構成するブランクの表側の面と裏側の面に異なる色又は模様が表示され、第１外壁部に形成された切欠部及び／又は開口部を介して第１外壁部の内側の第１内壁部及び／又は第２フラップ部の外側の面を視認可能であることを特徴とする紙製容器。
【請求項３】
第１フラップ部に形成された切欠部及び／又は開口部の輪郭が、第１外壁部に形成された切欠部及び／又は開口部の輪郭と略一致するように形成されていることを特徴とする請求項１又は２に記載の紙製容器。
【請求項４】
１枚のシート状のブランクにより形成された紙製容器であって、
方形状の底面部と、
該底面部の相対する各辺から折れ線を介して連設され、底面部に対して略直角に立設し、方形状の第１外壁部と、
第１外壁部における底面部とは反対側の辺部から折れ線を介して連設され、第１外壁部の上端に沿って帯状に形成された第１帯状部と、
第１帯状部の内側の端部から折れ線を介して連設され、第１外壁部に対して略平行に設けられ、略方形状に形成された第１内壁部と、
該底面部の他の相対する各辺から折れ線を介して連設され、底面部に対して略直角に立設し、方形状に切欠部及び／又は開口部が形成された形状の第２外壁部と、
該第２外壁部の両側から折れ線を介して連設され、隣接する第１外壁部と第１内壁部間に挟んだ状態で設けられた第１フラップ部と、
第２外壁部における底面部とは反対側の辺部から折れ線を介して連設され、第２外壁部の上端に沿って帯状に形成された第２帯状部と、
第２帯状部の内側の端部から折れ線を介して連設され、略方形状の第２内壁部と、
該第２内壁部の両側から折れ線を介して連設され、隣接する第１外壁部と第１内壁部間に挟んだ状態で設けられた第２フラップ部と、
を有し、
紙製容器の側面部は、第１外壁部と第１内壁部により二重に形成されるとともに、第２外壁部と第２内壁部により二重に形成され、
紙製容器を構成するブランクの表側の面と裏側の面に異なる色又は模様が表示され、第１外壁部に形成された切欠部及び／又は開口部を介して第１外壁部の内側の第１内壁部及び／又は第２フラップ部の外側の面を視認可能であるとともに、第２外壁部に形成された切欠部及び／又は開口部を介して第２外壁部の内側の第２内壁部の外側の面を視認可能であることを特徴とする紙製容器。
【請求項５】
紙製容器における４つの側面部の開口端を被覆する蓋部で、方形状に切欠部及び／又は開口部が形成された形状の蓋部外壁部と、該蓋部外壁部の下面に固着された方形状の蓋部内壁部とを有する蓋部が設けられ、蓋部外壁部の外側の面と蓋部内壁部の外側の面に異なる色又は模様が表示され、蓋部外壁部に形成された切欠部及び／又は開口部を介して蓋部内壁部の外側の面を視認可能であることを特徴とする請求項１又は２又は３又は４に記載の紙製容器。
【請求項６】
紙製容器が、上部が開口した箱体に対して被せる蓋部として機能することを特徴とする請求項１又は２又は３又は４又は５に記載の紙製容器。
【考案の詳細な説明】
【技術分野】
【０００１】
本考案は、箱等の紙製容器に関するものであり、特に、段ボール等の紙材により形成され、側面が二重に形成されている紙製容器に関するものである。
【背景技術】
【０００２】
従来より、段ボール等の紙材により形成された箱として、図１０に示すような側面が二重に形成された箱が存在する。
【０００３】
図１０に示す箱２００は、方形状の底面部２０５と、該底面部２０５の各辺から連設された側面部２１０Ａ、２１０Ｂ、２１０Ｃ、２１０Ｄとを有し、各側面部は、方形状の板状の外壁部と、該外壁部の上端から折れ線を介して連設された帯状部と、該帯状部から折れ線を介して連設された方形状の内壁部とを有している。例えば、側面部２１０Ａは、正方形状の板状の外壁部２１２Ａと、外壁部２１２Ａの上端から折れ線を介して連設された帯状部２１４Ａと、帯状部２１４Ａの内側の端部から折れ線を介して連設された正方形状の板状の内壁部（図示せず）とを有し、また、側面部２１０Ｂは、正方形状の板状の外壁部２１２Ｂと、外壁部２１２Ｂの上端から折れ線を介して連設された帯状部２１４Ｂと、帯状部２１４Ｂの内側の端部から折れ線を介して連設された正方形状の板状の内壁部（図示せず）とを有し、また、側面部２１０Ｃは、正方形状の板状の外壁部（図示せず）と、該外壁部の上端から折れ線を介して連設された帯状部２１４Ｃと、帯状部２１４Ｃの内側の端部から折れ線を介して連設された正方形状の板状の内壁部２１６Ｃとを有し、また、側面部２１０Ｄは、正方形状の板状の外壁部（図示せず）と、該外壁部の上端から折れ線を介して連設された帯状部２１４Ｄと、帯状部２１４Ｄの内側の端部から折れ線を介して連設された正方形状の板状の内壁部２１６Ｄとを有している。また、相対する側面部においては、外壁部の両側と内壁部の両側には、フラップ部が折れ線を介して連設され、隣接する側面部の外壁部と内壁部間に挟まれた状態で設けられている。
【０００４】
この図１０に示す箱は、例えば、Ｃ式の箱に使用されるものであり、１枚のシート状ブランクにより形成されたものである。
【０００５】
また、特許文献１に示すように、プラスチック製品の容器として、外側容器部分と内側容器部分とを重ね合わせて一体とし、外側、内側のいずれか一方に穿孔による透かし模様を形成するものが存在する。
【０００６】
また、特許文献２に示すように、セラミック成形体において壁面を二重構造として外側の壁部に穴を設けて模様を形成するものが存在する。
【特許文献１】実用新案登録第３１３５２９６号公報
【特許文献２】特開平８−３０９７１９号公報
【考案の開示】
【考案が解決しようとする課題】
【０００７】
ここで、図１０に示すような、１枚のシート状のブランクにより形成され、側面が二重に形成された箱において、該側面に対して従来にない表現方法で模様を形成することが望まれていた。
【０００８】
特許文献１、２に示すように、プラスチック容器やセラミック成形体においては、側面を二重に形成して外側の壁部に穴を設けて模様を形成する点は開示されているが、１枚のシート状ブランクを組み立てて形成された箱体には直接適用できるものでなく、１枚のシート状のブランクにより形成され、側面が二重に形成された箱において、該側面に新規な手法で模様を付すことが望まれていた。
【０００９】
すなわち、本考案が解決しようとする問題点は、１枚のシート状のブランクにより形成され、側面が二重に形成された紙製容器において、該側面に従来にない表現方法で模様が形成された紙製容器を提供することである。
【課題を解決するための手段】
【００１０】
本考案は上記問題点を解決するために創作されたものであって、第１には、１枚のシート状のブランクにより形成された紙製容器であって、方形状の底面部と、該底面部の相対する各辺から折れ線を介して連設され、底面部に対して略直角に立設し、方形状に切欠部及び／又は開口部が形成された形状の第１外壁部と、第１外壁部における底面部とは反対側の辺部から折れ線を介して連設され、第１外壁部の上端に沿って帯状に形成された第１帯状部と、第１帯状部の内側の端部から折れ線を介して連設され、第１外壁部に対して略平行に設けられ、略方形状の第１内壁部と、該底面部の他の相対する各辺から折れ線を介して連設され、底面部に対して略直角に立設し、方形状に切欠部及び／又は開口部が形成された形状の第２外壁部と、該第２外壁部の両側から折れ線を介して連設された第１フラップ部で、隣接する第１外壁部と第１内壁部間に挟んだ状態で設けられ、各第１フラップ部が該第２外壁部に隣接する第１外壁部に形成された切欠部及び／又は開口部に対応して切欠部及び／又は開口部が形成された第１フラップ部と、第２外壁部における底面部とは反対側の辺部から折れ線を介して連設され、第２外壁部の上端に沿って帯状に形成された第２帯状部と、第２帯状部の内側の端部から折れ線を介して連設され、略方形状の第２内壁部と、該第２内壁部の両側から折れ線を介して連設され、隣接する第１外壁部と第１内壁部間に挟んだ状態で設けられた第２フラップ部と、を有し、紙製容器の側面部は、第１外壁部と第１内壁部により二重に形成されるとともに、第２外壁部と第２内壁部により二重に形成され、紙製容器を構成するブランクの表側の面と裏側の面に異なる色又は模様が表示され（「施され」としてもよい。他においても同じ）、第１外壁部に形成された切欠部及び／又は開口部を介して第１外壁部の内側の第１内壁部及び／又は第２フラップ部の外側の面を視認可能であるとともに、第２外壁部に形成された切欠部及び／又は開口部を介して第２外壁部の内側の第２内壁部の外側の面を視認可能であることを特徴とする。
【００１１】
上記第１の構成の紙製容器においては、底面部と４つの側面部で囲まれた空間が設けられるので、該空間に被収納物を収納するか、又は、紙製容器を他の容器に対する蓋部として使用することができる。また、第１外壁部の内側に第１内壁部や第１フラップ部が存在するので、第１外壁部に形成された切欠部及び／又は開口部を介して第１内壁部や第１フラップ部の外側の面を視認することができ、紙製容器を構成するブランクにおいては、表側の面と裏側の面とが異なる色又は模様が表示されているので、第１外壁部の外側の面と第１内壁部や第１フラップ部の外側の面には異なる色又は模様が表れ、前後に配された部材の色や模様のコントラストにより従来にない新規な表現方法で模様を構成することができる。同様に、第２外壁部の内側に第２内壁部が存在するので、第２外壁部に形成された切欠部及び／又は開口部を介して第２内壁部の外側の面を視認することができ、第２外壁部の外側の面と第２内壁部の外側の面には異なる色又は模様が表れ、前後に配された部材の色や模様のコントラストにより従来にない新規な表現方法で模様を構成することができる。
【００１２】
また、第２には、１枚のシート状のブランクにより形成された紙製容器であって、方形状の底面部と、該底面部の相対する各辺から折れ線を介して連設され、底面部に対して略直角に立設し、方形状に切欠部及び／又は開口部が形成された形状の第１外壁部と、第１外壁部における底面部とは反対側の辺部から折れ線を介して連設され、第１外壁部の上端に沿って帯状に形成された第１帯状部と、第１帯状部の内側の端部から折れ線を介して連設され、第１外壁部に対して略平行に設けられ、略方形状の第１内壁部と、該底面部の他の相対する各辺から折れ線を介して連設され、底面部に対して略直角に立設し、方形状の第２外壁部と、該第２外壁部の両側から折れ線を介して連設された第１フラップ部で、隣接する第１外壁部と第１内壁部間に挟んだ状態で設けられ、各第１フラップ部が該第２外壁部に隣接する第１外壁部に形成された切欠部及び／又は開口部に対応して切欠部及び／又は開口部が形成された第１フラップ部と、第２外壁部における底面部とは反対側の辺部から折れ線を介して連設され、第２外壁部の上端に沿って帯状に形成された第２帯状部と、第２帯状部の内側の端部から折れ線を介して連設され、略方形状の第２内壁部と、該第２内壁部の両側から折れ線を介して連設され、隣接する第１外壁部と第１内壁部間に挟んだ状態で設けられた第２フラップ部と、を有し、紙製容器の側面部は、第１外壁部と第１内壁部により二重に形成されるとともに、第２外壁部と第２内壁部により二重に形成され、紙製容器を構成するブランクの表側の面と裏側の面に異なる色又は模様が表示され、第１外壁部に形成された切欠部及び／又は開口部を介して第１外壁部の内側の第１内壁部及び／又は第２フラップ部の外側の面を視認可能であることを特徴とする。
【００１３】
上記第２の構成の紙製容器においては、底面部と４つの側面部で囲まれた空間が設けられるので、該空間に被収納物を収納するか、又は、紙製容器を他の容器に対する蓋部として使用することができる。また、第１外壁部の内側に第１内壁部や第１フラップ部が存在するので、第１外壁部に形成された切欠部及び／又は開口部を介して第１内壁部や第１フラップ部の外側の面を視認することができ、紙製容器を構成するブランクにおいては、表側の面と裏側の面とが異なる色又は模様が表示されているので、第１外壁部の外側の面と第１内壁部や第１フラップ部の外側の面には異なる色又は模様が表れ、前後に配された部材の色や模様のコントラストにより従来にない新規な表現方法で模様を構成することができる。
【００１４】
また、第３には、上記第１又は第２の構成において、第１フラップ部に形成された切欠部及び／又は開口部の輪郭が、第１外壁部に形成された切欠部及び／又は開口部の輪郭と略一致（一致としてもよい）するように形成されていることを特徴とする。よって、第１フラップ部の外側の面は、第１外壁部の外側の面と同じ色又は模様となるが、切欠部及び／又は開口部の輪郭が略一致することにより、第１フラップ部が第１外壁部に被覆された状態となり、第１フラップ部が目障りになることがない。
【００１５】
また、第４には、１枚のシート状のブランクにより形成された紙製容器であって、方形状の底面部と、該底面部の相対する各辺から折れ線を介して連設され、底面部に対して略直角に立設し、方形状の第１外壁部と、第１外壁部における底面部とは反対側の辺部から折れ線を介して連設され、第１外壁部の上端に沿って帯状に形成された第１帯状部と、第１帯状部の内側の端部から折れ線を介して連設され、第１外壁部に対して略平行に設けられ、略方形状に形成された第１内壁部と、該底面部の他の相対する各辺から折れ線を介して連設され、底面部に対して略直角に立設し、方形状に切欠部及び／又は開口部が形成された形状の第２外壁部と、該第２外壁部の両側から折れ線を介して連設され、隣接する第１外壁部と第１内壁部間に挟んだ状態で設けられた第１フラップ部と、第２外壁部における底面部とは反対側の辺部から折れ線を介して連設され、第２外壁部の上端に沿って帯状に形成された第２帯状部と、第２帯状部の内側の端部から折れ線を介して連設され、略方形状の第２内壁部と、該第２内壁部の両側から折れ線を介して連設され、隣接する第１外壁部と第１内壁部間に挟んだ状態で設けられた第２フラップ部と、を有し、紙製容器の側面部は、第１外壁部と第１内壁部により二重に形成されるとともに、第２外壁部と第２内壁部により二重に形成され、紙製容器を構成するブランクの表側の面と裏側の面に異なる色又は模様が表示され、第１外壁部に形成された切欠部及び／又は開口部を介して第１外壁部の内側の第１内壁部及び／又は第２フラップ部の外側の面を視認可能であるとともに、第２外壁部に形成された切欠部及び／又は開口部を介して第２外壁部の内側の第２内壁部の外側の面を視認可能であることを特徴とする。
【００１６】
上記第４の構成の紙製容器においては、底面部と４つの側面部で囲まれた空間が設けられるので、該空間に被収納物を収納するか、又は、紙製容器を他の容器に対する蓋部として使用することができる。また、第２外壁部の内側に第２内壁部が存在するので、第２外壁部に形成された切欠部及び／又は開口部を介して第２内壁部の外側の面を視認することができ、第２外壁部の外側の面と第２内壁部の外側の面には異なる色又は模様が表れ、前後に配された部材の色や模様のコントラストにより従来にない新規な表現方法で模様を構成することができる。
【００１７】
また、第５には、上記第１から第４までのいずれかの構成において、紙製容器における４つの側面部の開口端を被覆する蓋部で、方形状に切欠部及び／又は開口部が形成された形状の蓋部外壁部と、該蓋部外壁部の下面に固着された方形状の蓋部内壁部とを有する蓋部が設けられ、蓋部外壁部の外側の面と蓋部内壁部の外側の面に異なる色又は模様が表示され、蓋部外壁部に形成された切欠部及び／又は開口部を介して蓋部内壁部の外側の面を視認可能であることを特徴とする。よって、蓋部においても、蓋部外壁部に形成された切欠部及び／又は開口部を介して蓋部内壁部の外側の面を視認することができ、蓋部外壁部の外側の面と蓋部内壁部の外側の面には異なる色又は模様が表れ、前後に配された部材の色や模様のコントラストにより従来にない新規な表現方法で模様を構成することができる。
【００１８】
また、第６には、上記第１から第５までのいずれかの構成において、紙製容器が、上部が開口した箱体に対して被せる蓋部として機能することを特徴とする。
【考案の効果】
【００１９】
本考案に基づく請求項１の紙製容器によれば、第１外壁部の内側に第１内壁部や第１フラップ部が存在するので、第１外壁部に形成された切欠部及び／又は開口部を介して第１内壁部や第１フラップ部の外側の面を視認することができ、紙製容器を構成するブランクにおいては、表側の面と裏側の面とが異なる色又は模様が表示されているので、第１外壁部の外側の面と第１内壁部や第１フラップ部の外側の面には異なる色又は模様が表れ、前後に配された部材の色や模様のコントラストにより従来にない新規な表現方法で模様を構成することができる。同様に、第２外壁部の内側に第２内壁部が存在するので、第２外壁部に形成された切欠部及び／又は開口部を介して第２内壁部の外側の面を視認することができ、第２外壁部の外側の面と第２内壁部の外側の面には異なる色又は模様が表れ、前後に配された部材の色や模様のコントラストにより従来にない新規な表現方法で模様を構成することができる。
【００２０】
また、請求項２の紙製容器によれば、第１外壁部の内側に第１内壁部や第１フラップ部が存在するので、第１外壁部に形成された切欠部及び／又は開口部を介して第１内壁部や第１フラップ部の外側の面を視認することができ、紙製容器を構成するブランクにおいては、表側の面と裏側の面とが異なる色又は模様が表示されているので、第１外壁部の外側の面と第１内壁部や第１フラップ部の外側の面には異なる色又は模様が表れ、前後に配された部材の色や模様のコントラストにより従来にない新規な表現方法で模様を構成することができる。
【００２１】
また、請求項４の紙製容器によれば、第２外壁部の内側に第２内壁部が存在するので、第２外壁部に形成された切欠部及び／又は開口部を介して第２内壁部の外側の面を視認することができ、第２外壁部の外側の面と第２内壁部の外側の面には異なる色又は模様が表れ、前後に配された部材の色や模様のコントラストにより従来にない新規な表現方法で模様を構成することができる。
【考案を実施するための最良の形態】
【００２２】
本考案においては、１枚のシート状のブランクにより形成され、側面が二重に形成された箱において、該側面に従来にない表現方法で模様が形成された箱を提供するという目的を以下のようにして実現した。
【実施例１】
【００２３】
本考案に基づく箱５は、図１〜図３に示すように、箱本体部（紙製容器）１０と、箱本体部１０に対して開閉する蓋部５０とを有している。なお、図において、Ｙ１−Ｙ２方向は、Ｘ１−Ｘ２方向に直角な方向である。また、「線対称」といった場合には、基本的には、展開状態において各部が線対称であることを示している。
【００２４】
箱本体部１０は、正方形状の底面部１２と、底面部１２の各辺から直角に立設した側面部１３Ａ、１３Ｂ、１３Ｃ、１３Ｄを有している。これら側面部１３Ａ〜１３Ｄは、外壁部と内壁部とにより二重に形成されている。この箱本体部１０は、１枚のシート状のブランク（例えば、紙材（具体的には、段ボール材））により形成されている。つまり、図４に示す展開状態において箱本体部１０を構成する各部は、板状に形成されている。
【００２５】
箱本体部１０の構成をより詳細に説明すると、その展開状態においては図４に示すように構成され、正方形状の底面部１２と、底面部１２の各辺から折れ線を介して連設された外壁部１４Ａ、１４Ｂ、１４Ｃ、１４Ｄと、各外壁部１４Ａ、１４Ｂ、１４Ｃ、１４Ｄに対して折れ線を介して連設された帯状部２０Ａ、２０Ｂ、２０Ｃ、２０Ｄと、帯状部２０Ａ、２０Ｂ、２０Ｃ、２０Ｄに対して折れ線を介して連設された内壁部２２Ａ、２２Ｂ、２２Ｃ、２２Ｄと、フラップ部１６Ｂ、１８Ｂ、１６Ｄ、１８Ｄ、２４Ｂ、２６Ｂ、２４Ｄ、２６Ｄを有している。なお、図４において点線は谷折れ線を示し、一点鎖線は山折り線を示す。
【００２６】
すなわち、底面部１２のＸ２側の辺部からは折れ線を介して外壁部（第１外壁部）１４Ａが連設されている。この外壁部１４Ａは、正方形状の各辺に略三角形状の切欠部１５Ａａ、１５Ａｂ、１５Ａｃ、１５Ａｄが形成された形状を呈している。この略三角形状は、１本の直線状の辺部と２本の略円弧状の辺部とからなり、線対称の形状となっている。なお、切欠部１５Ａａは、底面部１２の辺部とともに１つの開口部を形成している。
【００２７】
また、外壁部１４Ａの底面部１２とは反対側の端部からは、帯状部（第１帯状部）２０Ａが折れ線を介して連設されている。この帯状部２０Ａは、外壁部１４Ａと内壁部２２Ａの厚みを考慮して外壁部１４Ａと内壁部２２Ａとが容易に略平行となるために設けられ、外壁部１４Ａの底面部１２側とは反対側の辺部にも切欠部１５Ａｄが形成されていることから外壁部１４Ａの辺部の両側から帯状部２０Ａがそれぞれ連設されている。なお、切欠部１５Ａｄが設けられた領域には帯状部は形成されておらず、これにより２つの帯状部２０Ａ間には帯状部は形成されていない。この帯状部２０Ａは、外壁部１４Ａの辺部に沿って所定幅に帯状に形成されている。
【００２８】
また、帯状部２０Ａの外壁部１４Ａとは反対側の辺部からは、内壁部（第１内壁部）２２Ａが形成されている。この内壁部２２Ａは、略正方形状を呈し、正方形状の先端（組立て状態では下端）の両側に帯状の突出部２３ａ、２３ｂを形成した形状を呈している。この突出部２３aは、内壁部２２Ｂとフラップ部２４Ｂの境界位置に形成された切込み２４Ｂａに係止するためのものであり、突出部２３ｂは、内壁部２２Ｄとフラップ部２４Ｄの境界位置に形成された切込み２４Ｄａに係止するためのものである。
【００２９】
なお、外壁部１４Ａの切欠部１５Ａｄは、帯状部２０Ａの内側の端部の辺と、内壁部２２Ａの外壁部１４Ａ側の辺部とともに１つの開口部を形成している。
【００３０】
また、底面部１２のＹ１側の辺部からは折れ線を介して外壁部（第２外壁部）１４Ｂが連設されている。この外壁部１４Ｂは、正方形状の各辺に略三角形状の切欠部１５Ｂａ、１５Ｂｂ、１５Ｂｃ、１５Ｂｄが形成された形状を呈している。なお、切欠部１５Ｂａは、底面部１２の辺部とともに１つの開口部を形成している。
【００３１】
また、外壁部１４Ｂの両側の辺部からはフラップ部（第１フラップ部）１６Ｂ、１８Ｂが折れ線を介して連設されている。つまり、外壁部１４ＢのＸ２側の辺部からはフラップ部１６Ｂが連設され、外壁部１４ＢのＸ１側の辺部からはフラップ部１８Ｂが連設されている。フラップ部１６Ｂ、１８Ｂは、略長方形状の先端の両側に略円弧状の切欠部が形成されている。例えば、フラップ部１６ＢのＹ２側の切欠部は、切欠部１５Ａｃの略円弧状の辺部と略同一の形状に形成され、フラップ部１６ＢのＹ１側の切欠部は、切欠部１５Ａｄの略円弧状の辺部と略同一の形状に形成され、また、フラップ部１８ＢのＹ２側の切欠部は、切欠部１５Ｃｃの略円弧状の辺部と略同一の形状に形成され、フラップ部１８ＢのＹ１側の切欠部は、切欠部１５Ｃｄの略円弧状の辺部と略同一の形状に形成されている。つまり、フラップ部１６Ｂに形成された切欠部の輪郭が外壁部１４Ａに形成された切欠部の輪郭と略一致する（一致するとしてもよい）ように形成され、フラップ部１８Ｂに形成された切欠部の輪郭が外壁部１４Ｃに形成された切欠部の輪郭と略一致する（一致するとしてもよい）ように形成されている。これにより、フラップ部１６Ｂが外壁部１４Ａに被覆され、フラップ部１８Ｂが外壁部１４Ｃに被覆されるので、フラップ部１６Ｂ、１８Ｂが目障りになることがない。
【００３２】
また、フラップ部１６Ｂの外壁部１４Ｂ側の辺部には、略三角形状の切欠部１９Ｂａが形成されていて、切欠部１９Ｂａと切欠部１５Ｂｂとは互いに線対称に形成され、切欠部１９Ｂａと切欠部１５Ｂｂとで１つの開口部が形成されている。同様に、フラップ部１８Ｂの外壁部１４Ｂ側の辺部には、略三角形状の切欠部１９Ｂｂが形成されていて、切欠部１９Ｂｂと切欠部１５Ｂｃとは互いに線対称に形成され、切欠部１９Ｂｂと切欠部１５Ｂｃとで１つの開口部が形成されている。フラップ部１６Ｂとフラップ部１８Ｂとは互いに線対称に形成されている。
【００３３】
また、外壁部１４Ｂの底面部１２とは反対側の端部からは帯状部（第２帯状部）２０Ｂが連設されている。この帯状部２０Ｂは、外壁部１４Ｂと内壁部２２Ｂの厚みを考慮して外壁部１４Ｂと内壁部２２Ｂとが容易に略平行となるために設けられ、外壁部１４Ｂの底面部１２側とは反対側の辺部にも切欠部１５Ｂｄが形成されていることから外壁部１４Ｂの辺部の両側から帯状部２０Ｂがそれぞれ連設されている。なお、切欠部１５Ｂｄが設けられた領域には帯状部は形成されておらず、これにより２つの帯状部２０Ｂ間には帯状部は形成されていない。この帯状部２０Ｂは、外壁部１４Ｂの辺部に沿って所定幅に帯状に形成されている。
【００３４】
また、帯状部２０Ｂの外壁部１４Ｂとは反対側の辺部からは内壁部（第２内壁部）２２Ｂが形成されている。この内壁部２２Ｂは、略正方形状を呈している。
【００３５】
また、内壁部２２Ｂの両側の辺部からはフラップ部（第２フラップ部）２４Ｂ、２６Ｂが折れ線を介して連設されている。つまり、内壁部２２ＢのＸ２側の辺部からはフラップ部２４Ｂが連設され、内壁部２２ＢのＸ１側の辺部からはフラップ部２６Ｂが連設されている。フラップ部２４Ｂ、２６Ｂは、略長方形状の先端の両側に略円弧状の切欠部が形成されている。例えば、フラップ部２４ＢのＹ２側の切欠部は、切欠部１５Ａｃの略円弧状の辺部と略同一の形状に形成され、フラップ部２４ＢのＹ１側の切欠部は、切欠部１５Ａｄの略円弧状の辺部と略同一の形状に形成され、また、フラップ部２６ＢのＹ２側の切欠部は、切欠部１５Ｃｃの略円弧状の辺部と略同一の形状に形成され、フラップ部２６ＢのＹ１側の切欠部は、切欠部１５Ｃｄの略円弧状の辺部と略同一の形状に形成されている。
【００３６】
また、内壁部２２Ｂの先端（組立て状態では下端）のフラップ部２４Ｂとの境界位置には、直線状の切込み２４Ｂａが形成され、この切込み２４Ｂａは、内壁部２２Ｂとフラップ部２４Ｂの境界線の延長位置よりもやや内側に上下方向に形成されている。同様に、内壁部２２Ｂの先端（組立て状態では下端）のフラップ部２６Ｂとの境界位置には、直線状の切込み２６Ｂａが形成され、この切込み２６Ｂａは、内壁部２２Ｂとフラップ部２６Ｂの境界線の延長位置よりもやや内側に上下方向に形成されている。フラップ部２４Ｂとフラップ部２６Ｂとは互いに線対称に形成されている。
【００３７】
なお、外壁部１４Ｂの切欠部１５Ｂｄは、帯状部２０Ｂの内側の端部の辺と、内壁部２２Ｂの外壁部１４Ｂ側の辺部とともに１つの開口部を形成している。
【００３８】
また、底面部１２のＸ１側の辺部からは折れ線を介して外壁部（第１外壁部）１４Ｃが連設されている。この外壁部１４Ｃは、正方形状の各辺に略三角形状の切欠部１５Ｃａ、１５Ｃｂ、１５Ｃｃ、１５Ｃｄが形成された形状を呈している。なお、切欠部１５Ｃａは、底面部１２の辺部とともに１つの開口部を形成している。この外壁部１４Ｃは、外壁部１４Ｂと線対称に形成されている。
【００３９】
また、外壁部１４Ｃの底面部１２とは反対側の端部からは帯状部（第１帯状部）２０Ｃが折れ線を介して連設されている。帯状部２０Ｃは、外壁部１４Ａの辺部の両側からそれぞれ連設されている。この帯状部２０Ｃは、帯状部２０Ａと線対称に形成されている点以外は帯状部２０Ａと同様の構成であるので、詳しい説明を省略する。
【００４０】
また、帯状部２０Ｃの外壁部１４Ｃとは反対側の辺部からは内壁部（第１内壁部）２２Ｃが形成されている。この内壁部２２Ｃは、略正方形状を呈し、正方形状の先端（組立て状態では下端）の両側に帯状の突出部２３ｃ、２３ｄを形成した形状を呈している。この突出部２３ｃは、内壁部２２Ｂとフラップ部２６Ｂの境界位置に形成された切込み２６Ｂａに係止するためのものであり、突出部２３ｄは、内壁部２２Ｄとフラップ部２６Ｄの境界位置に形成された切込み２６Ｄａに係止するためのものである。この内壁部２２Ｃは、内壁部２２Ａと線対称に形成されている。
【００４１】
また、底面部１２のＹ２側の辺部からは折れ線を介して外壁部（第２外壁部）１４Ｄが連設されている。この外壁部１４Ｄは、正方形状の各辺に略三角形状の切欠部１５Ｄａ、１５Ｄｂ、１５Ｄｃ、１５Ｄｄが形成された形状を呈している。なお、切欠部１５Ｄａは、底面部１２の辺部とともに１つの開口部を形成している。この外壁部１４Ｄは、外壁部１４Ｂと線対称に形成されている。
【００４２】
また、外壁部１４Ｄの両側の辺部からはフラップ部（第１フラップ部）１６Ｄ、１８Ｄが折れ線を介して連設されている。つまり、外壁部１４ＤのＸ２側の辺部からはフラップ部１６Ｄが連設され、外壁部１４ＤのＸ１側の辺部からはフラップ部１８Ｄが連設されている。このフラップ部１６Ｄは、フラップ部１６Ｂと線対称に形成されている点以外はフラップ部１６Ｂと同様の構成であり、フラップ部１８Ｄは、フラップ部１８Ｂと線対称に形成されている点以外はフラップ部１８Ｂと同様の構成であるので詳しい説明を省略する。なお、フラップ部１６Ｄ、１８Ｄは、略長方形状の先端の両側に略円弧状の切欠部が形成されており、また、フラップ部１６Ｄの内壁部１４Ｄ側の辺部には、略三角形状の切欠部１９Ｄａが形成されていて、切欠部１９Ｄａと切欠部１５Ｄｂとは互いに線対称に形成され、切欠部１９Ｄａと切欠部１５Ｄｂとで１つの開口部が形成されている。同様に、フラップ部１８Ｄの内壁部１４Ｄ側の辺部には、略三角形状の切欠部１９Ｄｂが形成されていて、切欠部１９Ｄｂと切欠部１５Ｄｃとは互いに線対称に形成され、切欠部１９Ｄｂと切欠部１５Ｄｃとで１つの開口部が形成されている。なお、フラップ部１６Ｄとフラップ部１８Ｄは互いに線対称に形成されている。
【００４３】
また、外壁部１４Ｄの底面部１２とは反対側の端部からは帯状部（第２帯状部）２０Ｄが連設されている。帯状部２０Ｄは、帯状部２０Ｂと線対称に形成されている点以外は帯状部２０Ｂと同様の構成であるので、詳しい説明を省略する。
【００４４】
また、帯状部２０Ｄの外壁部１４Ｄとは反対側の辺部からは内壁部（第２内壁部）２２Ｄが形成されている。この内壁部２２Ｄは、略正方形状を呈し、内壁部２２Ｂと線対称に形成されている。
【００４５】
また、内壁部２２Ｄの両側の辺部からはフラップ部（第２フラップ部）２４Ｄ、２６Ｄが折れ線を介して連設されている。つまり、内壁部２２ＤのＸ２側の辺部からはフラップ部２４Ｄが連設され、内壁部２２ＤのＸ１側の辺部からはフラップ部２６Ｄが連設されている。フラップ部２４Ｄはフラップ部２４Ｂと線対称に形成されている点以外はフラップ部２４Ｂと同様の構成であり、フラップ部２６Ｄはフラップ部２６Ｂと線対称に形成されている点以外はフラップ部２６Ｂと同様の構成であるので詳しい説明を省略する。なお、内壁部２２Ｄの先端（組立て状態では下端）のフラップ部２４Ｄとの境界位置には、直線状の切込み２４Ｄａが形成され、この切込み２４Ｄａは、内壁部２２Ｄとフラップ部２４Ｄの境界線の延長位置よりもやや内側に上下方向に形成されている。同様に、内壁部２２Ｄの先端（組立て状態では下端）のフラップ部２６Ｄとの境界位置には、直線状の切込み２６Ｄａが形成され、この切込み２６Ｄａは、内壁部２２Ｄとフラップ部２６Ｄの境界線の延長位置よりもやや内側に上下方向に形成されている。
【００４６】
なお、外壁部１４Ｄの切欠部１５Ｄｄは、帯状部２０Ｄの内側の端部の辺と、内壁部２２Ｄの外壁部１４Ｄ側の辺部とともに１つの開口部を形成している。フラップ部２４Ｄとフラップ部２６Ｄとは互いに線対称に形成されている。
【００４７】
なお、箱本体部１０において、上記の略三角形状の切欠部１５Ａａ〜１５Ａｄ、１５Ｂａ〜１５Ｂｄ、１５Ｃａ〜１５Ｃｄ、１５Ｄａ〜１５Ｄｄ、１９Ｂａ、１９Ｂｂ、１９Ｄａ、１９Ｄｂは、互いに同じで形状・同じ大きさに形成されている。
【００４８】
また、箱本体部１０を構成するブランクにおいては、表側の面と裏側の面とが異なる色に配色されている。つまり、図４において表示されている面（例えば、これを裏側の面とする）と、図４において表示されている面とは反対側の面（例えば、これを表側の面とする）とは異なる色に配色されている。
【００４９】
上記箱本体部１０を組み立てるに当たっては、図７に示すように、帯状部２０Ｂを外壁部１４Ｂに対して折曲するとともに、内壁部２２Ｂを帯状部２０Ｂに対して折曲することにより、外壁部１４Ｂと内壁部２２Ｂとを対向した状態とするとともに、帯状部２０Ｄを外壁部１４Ｄに対して折曲するとともに、内壁部２２Ｄを帯状部２０Ｄに対して折曲することにより、外壁部１４Ｄと内壁部２２Ｄとを対向した状態とする。これにより、フラップ部１６Ｂとフラップ部２４Ｂとが対向し、フラップ部１８Ｂとフラップ部２６Ｂとが対向し、フラップ部１６Ｄとフラップ部２４Ｄとが対向し、フラップ部１８Ｄとフラップ部２６Ｄとが対向した状態となる。
【００５０】
その後、図８に示すように、外壁部１４Ｂを底面部１２に対して折曲して外壁部１４Ｂ及び内壁部２２Ｂを立設状態とし、同様に、外壁部１４Ｄを底面部１２に対して折曲して外壁部１４Ｄ及び内壁部２２Ｄを立設状態とする。その際、フラップ部１６Ｂとフラップ部１８Ｂは外壁部１４Ｂに対して直角の状態としておき、フラップ部２４Ｂとフラップ部２６Ｂは内壁部２２Ｂに対して直角の状態としておく。同様に、フラップ部１６Ｄとフラップ部１８Ｄは外壁部１４Ｄに対して直角の状態としておき、フラップ部２４Ｄとフラップ部２６Ｄは内壁部２２Ｄに対して直角の状態としておく。
【００５１】
その後、外壁部１４Ａを底面部１２に対して折曲して立設させ、フラップ部１６Ｂ、１６Ｄと対向するようにし、内壁部２２Ａをフラップ部２４Ｂ、２４Ｄの内側に配置させて、内壁部２２Ａの突出部２３ａを切込み２４Ｂａに係止させるとともに、突出部２３ｂを切込み２４Ｄａに係止させる。このようにすることにより、フラップ部１６Ｂ、１６Ｄ、２４Ｂ、２４Ｄが外壁部１４Ａと内壁部２２Ａ間に挟まれた状態となる。同様に、外壁部１４Ｃを底面部１２に対して折曲して立設させ、フラップ部１８Ｂ、１８Ｄと対向するようにし、内壁部２２Ｃをフラップ部２６Ｂ、２６Ｄの内側に配置させて、内壁部２２Ｃの突出部２３ｃを切込み２６Ｂａに係止させるとともに、突出部２３ｄを切込み２６Ｄａに係止させる。このようにすることにより、フラップ部１８Ｂ、１８Ｄ、２６Ｂ、２６Ｄが外壁部１４Ｃと内壁部２２Ｃ間に挟まれた状態となる。以上のようにして、箱本体部１０を組み立てることができる。
【００５２】
箱本体部１０を組み立てた状態においては、外壁部１４Ａ〜１４Ｄと内壁部２２Ａ〜２２Ｄは底面部１２に対して略直角となっていて、外壁部１４Ａの内側に内壁部２２Ａが略平行に配置され、外壁部１４Ｂの内側に内壁部２２Ｂが略平行に配置され、外壁部１４Ｃの内側に内壁部２２Ｃが略平行に配置され、外壁部１４Ｄの内側に内壁部２２Ｄが略平行に配置された状態となり、外壁部と該外壁部に対応する内壁部により各側面部が形成される。
【００５３】
なお、箱本体部１０を組み立てた状態においては、フラップ部１６Ｂ、１６Ｄ、１８Ｂ、１８Ｄの輪郭（外壁部との境界線を除く輪郭）は、外壁部に被覆されるので、フラップ部の輪郭が目障りになることはない。
【００５４】
次に、蓋部５０について説明する。蓋部５０は、図２、図３、図５に示すように、蓋部本体５２と、蓋部本体５２の相対する辺部から折れ線を介して連設されたフラップ部６４、６６とを有していて、１枚のシート状のブランク（例えば、紙材（具体的には、段ボール材））により形成されている。
【００５５】
蓋部５０の構成をより詳細に説明すると、その展開状態においては図５に示すように構成され、蓋部本体５２は、外壁部５４と、帯状部５６、６０と、内壁部５８、６２とを有している。
【００５６】
この外壁部５４は、外壁部１４Ａと同様に構成され、正方形状の各辺に略三角形状の切欠部５５ａ、５５ｂ、５５ｃ、５５ｄが形成された形状を呈し、切欠部５５ａ〜５５ｄにおける各切欠部は、上記切欠部１５Ａａ等と同じ形状・同じ大きさに形成されている。
【００５７】
また、外壁部５４の１つの辺部からは、帯状部５６が連設されている。この帯状部５６は、外壁部５４と内壁部５８の厚みを考慮して外壁部５４と内壁部５８とが容易に略平行となるために設けられ、外壁部５４の辺部の両側から帯状部５６がそれぞれ連設されている。なお、切欠部５５ｂが設けられた領域には帯状部は形成されておらず、これにより２つの帯状部５６間には帯状部は形成されていない。この帯状部５６は、外壁部５４の辺部に沿って所定幅に帯状に形成されている。
【００５８】
また、帯状部５６の外壁部５４とは反対側の辺部からは内壁部５８が形成されている。この内壁部５８は、略二等片三角形状の内壁部本体５８ａと、内壁部本体５８ａの傾斜辺から突出した突出片５８ｂとを有している。突出片５８ｂは、内壁部本体５８ａの傾斜辺の略中央から突出し、略台形形状を呈している。この突出片５８ｂは、内壁部６２の切欠部６２ａに嵌合する大きさ・形状を有している。
【００５９】
また、外壁部５４の帯状部５６が連設されている辺部に相対する辺部からは帯状部６０が連設されている。帯状部６０は、外壁部５４の辺部の両側からそれぞれ連設されている。この帯状部６０は、帯状部５６と線対称に形成されている点以外は帯状部５６と同様の構成であるので、詳しい説明を省略する。
【００６０】
また、帯状部６０の外壁部５４とは反対側の辺部からは内壁部６２が形成されている。この内壁部６２は、略二等片三角形状に切欠部６２ａを形成した形状を呈している。つまり、内壁部５８の突出片５８ｂを内壁部６２の切欠部６２ａに嵌合させることにより、内壁部５８と内壁部６２とで外壁部５４において切欠部５５ａ〜５５ｄを形成していない場合の正方形状と同じ形状・大きさとなる。
【００６１】
内壁部５８と内壁部６２とは、外壁部５４の裏面に接着して固着されている。つまり、内壁部５８の突出片５８ｂを内壁部６２の切欠部６２ａに嵌合させた状態で、内壁部５８、６２が外壁部５４の裏面に接着して固着されている。
【００６２】
なお、蓋部５０の組立て状態において、内壁部５８と内壁部６２の境界線は、外壁部５４に被覆された状態となるので、該境界線が目障りになることはない。
【００６３】
また、フラップ部６４とフラップ部６６は、略長方形状を呈し、外壁部５４の他の相対する辺部（内壁部５８、６２が連設されている辺部とは異なる相対する辺部）から折れ線を介して連設されている。なお、図５に示す展開状態において、フラップ部６４とフラップ部６６とは互いに線対称に形成されている。このフラップ部６４、６６の長手方向の長さは、フラップ部６４、６６が箱本体部１０の収納空間内に配設可能なように、箱本体部１０における相対する側面部間の長さ（つまり、側面部１３Ａと側面部１３Ｃ間の長さ、側面部１３Ｂと側面部１３Ｄ間の長さ）以下の長さに形成されている。
【００６４】
なお、蓋部５０は、図６に示す蓋部５０’の構成としてもよい。すなわち、蓋部５０’においては、内壁部の構成が異なる。つまり、内壁部５８’は、帯状部５６から連設され、略台形形状に２つの切欠部５９ａ、５９ｂを形成した形状を呈している。つまり、該台形形状は、外壁部５４とフラップ部６４の境界線の延長線からなる辺部５８−１と、外壁部５４とフラップ部６６の境界線の延長線からなり、辺部５８−１よりも短く形成された辺部５８−２と、傾斜辺部５８−３に囲まれた形状であり、切欠部５９ａ、５９ｂはスリット状を呈し、該傾斜辺部５８−３に所定の間隔を介して互いに平行に外壁部５４と帯状部５６間の折れ線と略平行に形成されている。
【００６５】
また、内壁部６２’は、帯状部６０から連設され、略台形形状に２つの切欠部６３ａ、６３ｂを形成するとともに、切欠部６３ａと切欠部６３ｂ間の領域を突出させた形状を呈している。つまり、該台形形状は、外壁部５４とフラップ部６６の境界線の延長線からなる辺部６２−１と、外壁部５４とフラップ部６４の境界線の延長線からなり、辺部６２−１よりも短く形成された辺部６２−２と、傾斜辺部６２−３（この傾斜辺部６２−３は、図６の状態において傾斜辺部５８−３と略平行となっている）に囲まれた形状であり、切欠部６３ａ、６３ｂはスリット状を呈し、該傾斜辺部６２−３に所定の間隔を介して互いに平行に外壁部５４と帯状部６０間の折れ線と略平行に形成されている。また、切欠部６３ａと切欠部６３ｂ間の領域６３ｃは、傾斜辺部６２−３よりも突出して形成されている。
【００６６】
上記構成の内壁部５８’、６２’において、切欠部同士を係止させて内壁部５８’と内壁部６２’とを互いに係止することにより１つの内壁部が形成されるように形成されている。つまり、切欠部５９ｂと切欠部６３ｂを係止させるとともに、切欠部５９ａと切欠部６３ａを係止させることにより、内壁部５８’と内壁部６２’とが互いに係止される。その際、突出した領域６３ｃは、内壁部５８’に被覆される（つまり、内壁部５８’と外壁部５４の間に設けられた構成とする。）ように構成するのが好ましい。
【００６７】
なお、蓋部５０’において、内壁部５８’、６２’以外の構成は、蓋部５０と同様であるので、詳しい説明を省略する。
【００６８】
上記構成の箱５の作用・効果について説明する。箱５は、通常の箱のように使用し、蓋部５０を箱本体部１０に対して開けた状態で、箱本体部１０内に被収納物を収納する。被収納物を収納したら蓋部５０を箱本体部１０の開口部に配置して、箱本体部１０の開口部を閉じた状態とする。すると、箱５の上面と４つの側面における各面には、外壁部と内壁部とが二重に配置されたことによる模様が表現される。つまり、箱５の上面と４つの側面における各面では、内壁部又はフラップ部の外側に外壁部が配された構成となっているが、箱本体部１０を構成するブランクにおいては、表側の面と裏側の面とが異なる色に配色されているので、外壁部の外側の面と内壁部やフラップ部の外側の面とは異なる色となり、外壁部に設けられた切欠部を通して内壁部又はフラップ部を視認できる状態であるので、前後に配された部材の色のコントラストにより従来にない新規な表現方法で模様を構成することができる。例えば、側面部１３Ａにおいては、外壁部１４Ａに形成された切欠部１５Ａａ、１５Ａｄを通して内壁部２２Ａが視認でき、切欠部１５Ａｃを通してフラップ部１６Ｂを視認でき、切欠部１５Ａｂを通してフラップ部１６Ｄを視認でき、外側の部材である外壁部１４Ａの外側の面と、内側の部材である内壁部２２Ａ及びフラップ部１６Ｂ、１６Ｄの外側の面とは異なる色が配色されているので、それらの色のコントラストにより従来にない新規な表現方法で模様を構成することができる。
【００６９】
なお、蓋部５０を閉じた状態では、箱５の底面を除く外側の５つの面において同じ模様が表現される。
【００７０】
なお、上記の説明においては、外壁部は、正方形状の各辺に切欠部を形成した形状であり、フラップ部１６Ｂ、１８Ｂ、１６Ｄ、１８Ｄもその切欠部の形状に合わせて形成しているとして説明したが、切欠部ではなく外壁部に開口部を形成して、その開口部を介して内壁部やフラップ部の外側の面を視認できるようにしてもよい。
【００７１】
また、上記の説明では、箱本体部１０を構成するブランクにおいては、表側の面と裏側の面とが異なる色に配色されているとしたが、これには限られず、異なる模様を表示するようにしてもよい。
【００７２】
なお、上記の説明では、外壁部１４Ａ〜１４Ｄに切欠部が形成されているとしたが、外壁部１４Ａ、１４Ｃのみに切欠部が形成されていてもよい。つまり、その場合には、外壁部１４Ｂ、１４Ｄは単に正方形状となる。
【００７３】
また、外壁部１４Ｂ、１４Ｄのみに切欠部が形成され、外壁部１４Ａ、１４Ｃが単に正方形状としてもよい。その場合には、フラップ部１６Ｂ、１８Ｂ、１６Ｄ、１８Ｄの外形は任意であり、フラップ部１６Ｂ、１８Ｂ、１６Ｄ、１８Ｄには切欠部を形成する必要はない。
【実施例２】
【００７４】
次に、実施例２について説明する。実施例２においては、実施例１における箱本体部１０の構成の紙製容器を蓋部に使用する例である。
【００７５】
すなわち、実施例２における箱１０５は、図９に示すように、蓋部（紙製容器）１１０と、箱本体部１２０とを有していて、蓋部１１０は、実施例１における箱本体部１０と同様の構成である。すなわち、蓋部１１０は、箱本体部１０の上下を逆にしたものであり、上面部１１２の各辺から側面部１１３Ａ、１１３Ｂが連設されている。
【００７６】
また、箱本体部１２０は、正方形状の底面部（図示せず）と、該底面部の各辺から連設された側面部１３０Ａ、１３０Ｂ、１３０Ｃ、１３０Ｄとを有し、各側面部は、方形状の板状の外壁部と、該外壁部の上端から折れ線を介して連設された帯状部と、該帯状部から折れ線を介して連設された方形状の内壁部とを有している。例えば、側面部１３０Ａは、正方形状の板状の外壁部１３２Ａと、外壁部１３２Ａの上端から折れ線を介して連設された帯状部１３４Ａと、帯状部１３４Ａの内側の端部から折れ線を介して連設された正方形状の板状の内壁部（図示せず）とを有し、また、側面部１３０Ｂは、正方形状の板状の外壁部１３２Ｂと、外壁部１３２Ｂの上端から折れ線を介して連設された帯状部１３４Ｂと、帯状部１３４Ｂの内側の端部から折れ線を介して連設された正方形状の板状の内壁部（図示せず）とを有し、また、側面部１３０Ｃは、正方形状の板状の外壁部（図示せず）と、該外壁部の上端から折れ線を介して連設された帯状部１３４Ｃと、帯状部１３４Ｃの内側の端部から折れ線を介して連設された正方形状の板状の内壁部１３６Ｃとを有し、また、側面部１３０Ｄは、正方形状の板状の外壁部（図示せず）と、該外壁部の上端から折れ線を介して連設された帯状部１３４Ｄと、帯状部１３４Ｄの内側の端部から折れ線を介して連設された正方形状の板状の内壁部１３６Ｄとを有している。また、相対する側面部においては、外壁部の両側と内壁部の両側には、フラップ部が折れ線を介して連設され、隣接する側面部の外壁部と内壁部間に挟まれた状態で設けられている。
【００７７】
この箱本体部１２０は、蓋部１１０の内側に収納できる大きさとなっていて、蓋部１１０を箱本体部１２０に被せることにより、箱本体部１２０を閉状態にすることができる。
【００７８】
この実施例２の箱１０５においても、蓋部１１０の４つの側面部における各側面部には、外壁部と内壁部とが二重に配置されたことによる模様が表現される。つまり、蓋部１１０の各側面部では、内壁部又はフラップ部の外側に外壁部が配された構成となっているが、外壁部の外側の面と内壁部やフラップ部の外側の面とは異なる色に構成されていて、外壁部に設けられた切欠部を通して内壁部又はフラップ部を視認できる状態であるので、前後に配された部材の色のコントラストにより従来にない新規な表現方法で模様を構成することができる。
【００７９】
なお、上記実施例１においては、底面部１２が正方形状で、外壁部１４Ａ〜１４Ｄが正方形状の各辺に切欠部を形成した構成となっていて、内壁部２２Ａ〜２２Ｄも略正方形状となっているが、正方形状でなくても長方形状でもよく、例えば、底面部１２は長方形状でもよく、外壁部１４Ａ〜１４Ｄが長方形状の各辺に切欠部を形成した構成でもよく、また、内壁部２２Ａ〜２２Ｄも略長方形状であってもよい。つまり、底面部１２は方形状であればよく、外壁部１４Ａ〜１４Ｄが方形状の各辺に切欠部を形成した構成であればよく、また、内壁部２２Ａ〜２２Ｄも略方形状であればよい。実施例２の蓋部１１０においても同様であり、上面部１１２等が長方形状であってもよく方形状であればよい。
【図面の簡単な説明】
【００８０】
【図１】本考案の実施例１に基づく箱の斜視図である。
【図２】本考案の実施例１に基づく箱の上方分解斜視図である。
【図３】本考案の実施例１に基づく箱の下方分解斜視図である。
【図４】箱本体部の展開図である。
【図５】蓋部の展開図である。
【図６】蓋部の他の例の展開図である。
【図７】箱本体部の組立て方法を示す斜視図である。
【図８】箱本体部の組立て方法を示す斜視図である。
【図９】本考案の実施例２に基づく箱の上方分解斜視図である。
【図１０】従来の箱を示す斜視図である。
【符号の説明】
【００８１】
５、１０５  箱
１０  箱本体部
１２  底面部
１３Ａ、１３Ｂ、１３Ｃ、１３Ｄ、１１３Ａ、１１３Ｂ、１３０Ａ、１３０Ｂ、１３０Ｃ、１３０Ｄ  側面部
１４Ａ、１４Ｂ、１４Ｃ、１４Ｄ、５４、１３２Ａ、１３２Ｂ  外壁部
１６Ｂ、１８Ｂ、１６Ｄ、１８Ｄ、２４Ｂ、２６Ｂ、２４Ｄ、２６Ｄ、６４、６６  フラップ部
２０Ａ、２０Ｂ、２０Ｃ、２０Ｄ、５６、６０、１３４Ａ、１３４Ｂ、１３４Ｃ、１３４Ｄ  帯状部
２２Ａ、２２Ｂ、２２Ｃ、２２Ｄ、５８、６２、５８’、６２’、１３６Ｃ、１３６Ｄ  内壁部
１５Ａａ、１５Ａｂ、１５Ａｃ、１５Ａｄ、１５Ｂａ、１５Ｂｂ、１５Ｂｃ、１５Ｂｄ、１５Ｃａ、１５Ｃｂ、１５Ｃｃ、１５Ｃｄ、１５Ｄａ、１５Ｄｂ、１５Ｄｃ、１５Ｄｄ、１９Ｂａ、１９Ｂｂ、１９Ｄａ、１９Ｄｂ、５５ａ、５５ｂ、５５ｃ、５５ｄ、５９ａ、５９ｂ、６３ａ、６３ｂ  切欠部
２３ａ、２３ｂ、２３ｃ、２３ｄ  突出部
２４Ｂａ、２６Ｂａ、２４Ｄａ、２６Ｄａ  切込み
【図１】
0003146280.tif 000003
【図２】
0003146280.tif 000004
【図３】
0003146280.tif 000005
【図４】
0003146280.tif 000006
【図５】
0003146280.tif 000007
【図６】
0003146280.tif 000008
【図７】
0003146280.tif 000009
【図８】
0003146280.tif 000010
【図９】
0003146280.tif 000011
【図１０】
0003146280.tif 000012